(57)【要約】【課題】ズボンに折り目を付ける場合に、２重の折り目が付くことを防止する。【解決手段】ズボンプレス補助用具１は、一部または全部が透明なシート状またはフィルム状の上層部材２、下層部材４およびその間に位置するシート状の中層部材３からなり、上層部材２、下層部材４および中層部材３はその一辺の端が直線的に接合されおり、上層部材２及び下層部材４と中層部材３がプレスするズボンを挟み込んで、ズホンの位置を固定し、ズボンプレス時に２重の折り目が付くことを防止する。【選択図】図１
2011011064.tif 000002
【特許請求の範囲】
【請求項１】
上層部材、中層部材、および下層部材からなり、少なくとも該上層部材および該下層部材はフィルム状またはシート状で、一部または全部が実質的に透明であって、それらの各１辺の端部が該中層部材と直線状に接合され、その他の端部は互いに開放されていることを特徴とするズボンプレス補助用具。
【請求項２】
上層部材、中層部材、および下層部材からなり、少なくとも該上層部材および該下層部材はフィルム状またはシート状で、一部または全部が実質的に透明であって、それらの各１辺の端部が直線状に接合されて該中層部材を形成し、その他の端部は互いに開放されていることを特徴とするズボンプレス補助用具。
【請求項３】
該中層部材の横幅が該上層部材および該下層部材の横幅と異なっていることを特徴とする請求項１、２のズボンプレス補助用具。
【請求項４】
該上層部材、該中層部材、および該下層部材のいずれか又は全部について、中央部の横幅が他の部分の横幅より広くなっていることを特徴とする請求項１、２のズボンプレス補助用具。
【請求項５】
該上層部材、該中層部材、および該下層部材のいずれか又は全部について、複数の溝が形成されていることを特徴とする請求項１、２のズボンプレス補助用具。
【発明の詳細な説明】
【技術分野】
【０００１】  本発明は、衣料品のズボンに折り目を付ける際に、２重に折り目が付くことを防止する補助用具であって、市販のズボンプレッサと共に、あるいは寝押しの際に寝具と共に使用するズボンプレス補助用具に関する。
【背景技術】
【０００２】  折り目がしっかり付いたズボンは清潔感があり、通常、身だしなみとしてズボンには左右１本の直線的な折り目が意図的に付けられる。
従来、ズボンの折り目をつけるのには、手動のアイロンか市販のズボンプレッサを用いることが多いが、特にズボンプレッサは、折り目を付ける作業にアイロンほど手間がかからず、家電製品として一般家庭に普及している。
【発明の概要】
【発明が解決しようとする課題】
【０００３】  しかし、従来の市販のズボンプレッサを使用する場合、ズボンの支持台の上にズボンをセットして、押さえ部材でズボンを挟む場合に、折角セットした折り目が何らかの原因で、意図していた位置（以前の折り目）からずれることが度々あり、その結果、折り目が却ってぼやけるか、２重になってしまい、これを解消するためにはアイロンで修復することになるので、手間がかかる問題があった。
折り目がずれることを防止するには、ピンやホッチキスで仮留めすることも考えられるが、ズボンの生地が痛み、またその手間がわずらわしい問題がある。【０００４】  本発明の目的は、この問題を解決するために創意工夫されたものであって、本発明の目的は、市販のズボンプレッサまたは寝具と共に用いて、ズボンに折り目を付ける際に、２重に折り目が付くことを容易に防止することができるズボンプレス補助用具を提供することにある。
【課題を解決するための手段】
【０００５】  本発明に係るズボンプレス補助用具は、上層部材、中層部材、および下層部材からなり、少なくとも該上層部材および該下層部材はフィルム状またはシート状で、一部または全部が実質的に透明であって、それらの各１辺の端部が該中層部材と直線状に接合され、その他の端部は互いに開放されていることを特徴としている。
本発明に係るズボンプレス補助用具の他の実施態様では、上層部材、中層部材、および下層部材からなり、少なくとも該上層部材および該下層部材はフィルム状またはシート状で、一部または全部が実質的に透明であって、それらの各１辺の端部が直線状に接合されて該中層部材を形成し、その他の端部は互いに開放されていることを特徴としている。
【発明の効果】
【０００６】  本発明に係るズボンプレス補助用具１を用いることよって、ズボンにきれいな折り目をつけることが可能になり、２重の折り目がつくことを防止できる。また、本ズボンプレス補助用具は小型で薄く、軽量なために持ち運びが容易なため、旅行に携帯して旅先で寝押しの際に使用することができる。
本発明に係るズボンプレス補助用具は、安価に製造することができるので、上層部材、中層部材、下層部材のいずれかにクリーニング店やその他の一般企業の広告や地図を印刷することにより、ノベルティ商品として利用でき、あるいは、例えば中層部材に目盛りを印刷して小型の定規を兼ねた文房具にすることもできる。
【図面の簡単な説明】
【０００７】
【図１】ズボンプレス補助用具全体説明する斜視図である。
【図２】ズボンプレス補助用具をズボンに装着した状態を説明する断面図である。
【図３】ズボンプレス補助用具をズボンプレッサと共に使用する状態を説明する斜視図である。
【図４】ズボンプレス補助用具のその他の実施態様を説明する断面図である。
【図５】ズボンプレス補助用具の図４（Ｃ）の実施態様の斜視図である。
【発明を実施するための形態】
【０００８】  図１は本発明の実施例の一つを示し、図２、図３はそれを実際にズボンに折り目をプレスする時の状態を説明するものである。本発明に係るズボンプレス補助用具１の上層部材２および下層部材４は、それぞれが長方形のシート状ないしフィルム状部材であり、可撓性があって耐折り曲げ性があるポリプロピレン等の素材でできており、これら部材の一端が長方形の中層部材３と直線状に接合されている。上層部材２と下層部材４は図２に示す様に、それぞれが中層部材３とでズボン５を挟んで正しく折り目がつく様にセットされ、そのズボン５のセット状態が見える様に一部または全体が透明になっている。この透明度は特にこだわる必要はなく、ズボン５の状態が実質的に外から見えればよい。なお、透明であることが必要な部分は前期の接合部分に近いところであり、必ずしも全部が透明である必要はない。
上層部材２と下層部材４の大きさ及び厚さは特に規定されるものではないが、縦１５〜２５ｃｍ、幅３〜１０ｃｍ、厚さ０．２ｍｍ程度が取り扱いやすい。
この様な状態で、ズボンプレッサ６で７の矢印で示す方向に加熱、加圧することでズボン５に正しい折り目が付く。なお、図１および後述する図４、図５は説明のために、上層部材２、中層部材３および下層部材４を意図的にやや離間して描いたものであり、通常の形態ではこれらが重なった状態になっている。
【０００９】  図３はズボンプレス補助用具１を市販のズボンプレッサ６と共に用いてズボン５をプレスする時の様子を示したものである。ズボン５に対するズボンプレス補助用具１の位置は、２重の折り目が付きやすいズボンの股上に近い上部であり、ここを図２で示す様にセットすれば、ズボンプレッサ６で挟まれた場合にズボン５の姿勢が固定された状態となり、ズボン全体の重なり具合がずれることが防止される。実際に本発明のズボンプレス補助用具１を使用して見ると、最初に全体の位置合わせをしておけば、通常ずれることはなくなるが、もし念を入れるのであれば、ズボンプレス補助用具１を他の場所にも複数使用することができる。
【００１０】  中層部材３は、図４（Ｄ）の断面図に示す様に、上層部材２と下層部材４の一部を折り曲げて接着または融着して製作することも可能であるが、中層部材２は、なるべく曲がらない方が取り扱い性がよいので、プラスチック、木、紙または金属等の硬質シートで製作し、これに図４（Ａ）に示す様に上層部材２と下層部材４の一部を折り曲げて直線状に接着または融着し、上層部材２と上層部材４のその他の端は互いに開放しておくと、その可撓性から容易に開閉することができる様になっている。なお、中層部材３についても、透明プラスチックシートを用いれば、反対側のズボン５のセット具合が見えるので、ズボン５をセットする場合には都合がよい。
【００１１】  なお、上層部材２および下層部材４は、それらの横幅が中層部材３とは異なっているが、これは中層部材３と同じ幅にしておくと、最初にズボンプレス補助用具１をズボン５にセットする場合に互いに邪魔になるからであり、図１、図４（Ａ）に示す様に中層部材３を数ｃｍ以上短くしておけば、まず上層部材２および下層部材４をズボン５の外側に当ててから中層部材３をズボン５の間に挿入できる。また、これとは逆に図４（Ｂ）の様に中層部材３を相対的に上層部材２および下層部材４より数ｃｍ以上長くしておく場合には、中層部材３をズボン５の間に先に挿入してから、上層部材２および下層部材４を所定の位置にセットすることができる。図４（Ｃ）の実施態様は、下層部材４、中層部材３、上層部材２の順番で横幅を小さくしたものであり、この場合には、ズボンの全体を大まかにセットした後から、この順番にこれらの部材を横から挿入する。なお、この場合は図５に示す様に、各部材の形状についてテーパーを付け、中央部の横幅が他の部分の横幅より広くなっている様にすれば、ズボンへの挿入がより容易となる。更に、本実施態様では、中層部材３の上下に溝８を形成することによって、形状の安定性とズボンを挟む把持力を高めている。溝８は中層部材３だけでなく上層部材２、下層部材４のズボンと接する内側にも形成してもよい。そして、このテーパーと溝８の成形については、図４のその他の実施態様についても適用できるものである。
また、ズボンプレス補助用具１は、図４（Ｅ）の実施態様に示す様に一枚のシートまたはフィルムを折り曲げて上層部材２と下層部材４を形成し、その間に中層部材３を挟み込んで、その端部を接着または融着することによっても製作可能である。
【符号の説明】
【００１２】１  ズボンプレス補助用具
２  上層部材
３  中層部材
４  下層部材
５  ズボン
６  ズボンプレッサ
７  加圧方向
８  溝
【図１】
2011011064.tif 000003
【図２】
2011011064.tif 000004
【図３】
2011011064.tif 000005
【図４】
2011011064.tif 000006
【図５】
2011011064.tif 000007